(57)【要約】本発明は、マイクロ波によってコンテナの内部を冷却するコンテナ、およびマイクロ波の放射によってコンテナ内の内容物を冷却する方法に関する。コンテナ（１０）は、蓋部（２０）と、少なくとも１つの一体化された電気クーラー（７０）と、少なくとも１つの一体化されたマイクロ波受信レクテナ（５０）と、マイクロ波がコンテナ（１０）の内部に到達するのを防止するための少なくとも１つの一体化されたマイクロ波シールド（６０）とを含んでいる。その方法は、コンテナの蓋部（２０）を閉じることによってコンテナ（１０）を封止するステップと、マイクロ波オーブンを使用してコンテナの外表面にマイクロ波放射を供給するステップと、を含み、コンテナに入射するマイクロ波は、レクテナ（５０）によって受信され、直流電圧に変換され、コンテナ（１０）の内部とその内容物を冷却するために電気クーラー（７０）に給電する。
2006511781.tif 000002
【特許請求の範囲】
【請求項１】
マイクロ波放射を受信することによって内部を冷却するコンテナ（１０）であって、
蓋部（２０）と、
少なくとも１つの一体化された電気クーラー（７０）と、
少なくとも１つの一体化されたマイクロ波受信レクテナ（５０）と、
マイクロ波が前記コンテナ（１０）の内部に到達するのを防止するための少なくとも１つの一体化されたマイクロ波シールド（６０）と、
を有し、
前記コンテナに入射するマイクロ波は前記レクテナ（５０）によって受信されて直流電圧に変換され、前記レクテナは前記コンテナ（１０）の内部を冷却するために前記電気クーラーに給電するものである、
コンテナ。
【請求項２】
前記クーラー（７０）はペルチエ冷却素子である、請求項１に記載のコンテナ。
【請求項３】
前記レクテナ（５０）は、少なくとも１つのマイクロ波受信アンテナと、ローパス・フィルタと、整流ダイオードと、ＤＣフィルタと、負荷抵抗とを含むものである、請求項１または２のいずれかに記載のコンテナ。
【請求項４】
前記マイクロ波シールド（６０）は金属板または小孔を有する金属網である、請求項１乃至３のいずれかに記載のコンテナ。
【請求項５】
前記レクテナ（５０）はダイオード・レクテナである、請求項１乃至４のいずれかに記載のコンテナ。
【請求項６】
前記アンテナはダイポール、パッチまたはループ・アンテナ、またはそのようなアンテナのアレーである、請求項３乃至５のいずれかに記載のコンテナ。
【請求項７】
前記電気クーラー（７０）、前記レクテナ（５０）および前記マイクロ波シールド（６０）は、前記コンテナの壁（２０、３０、４０）内に別々の層として一体化されているものである、請求項１乃至６のいずれかに記載のコンテナ。
【請求項８】
底壁部分（４０）は、最も外側のマイクロ波シールド層（６０）と、レクテナ電気回路層と、最も内側の電気冷却層（７０）とを含むものである、請求項７に記載のコンテナ。
【請求項９】
閉じた側壁部分（３０）は、最も外側のマイクロ波受信レクテナ層（５０）と、マイクロ波シールド層（６０）と、最も内側の電気冷却層（７０）とを含むものである、請求項７または８のいずれかに記載のコンテナ。
【請求項１０】
前記蓋部（２０）は、最も外側のマイクロ波受信レクテナ層（５０）、マイクロ波シールド層（６０）および最も内側の冷却層（７０）の中の少なくとも１つを含むものである、請求項１乃至９のいずれかに記載のコンテナ。
【請求項１１】
入射マイクロ波は、前記蓋部（２０）および側壁部分（３０）のレクテナ・アンテナによって受信され、前記レクテナの電気回路によって直流電圧（ＤＣ）に変換され、前記レクテナの電気回路は底壁部分（４０）に一体化されており、前記コンテナの最も内側の底および側壁部分（３０、４０）中の前記電気クーラー（７０）に給電して、最も内側の底および側壁部分の表面を通して前記コンテナの内部を冷却するものである、請求項１乃至１０のいずれかに記載のコンテナ。
【請求項１２】
アルミニウム、プラスチックまたはセラミック材料によって作られた請求項１乃至１１のいずれかに記載のコンテナ。
【請求項１３】
マイクロ波吸収材料によって作られた請求項１乃至１１のいずれかに記載のコンテナ。
【請求項１４】
丸みのある形状を有する請求項１乃至１３のいずれかに記載のコンテナ。
【請求項１５】
マイクロ波の放射がマイクロ波オーブンによって供給される、請求項１乃至１４いずれかに記載のコンテナ。
【請求項１６】
前記コンテナ（１０）、クーラー（７０）、および前記コンテナ内に収容された内容物のうちの少なくとも１つの温度を表示する温度計が前記コンテナに一体化されている、請求項１乃至１５のいずれかに記載のコンテナ。
【請求項１７】
前記マイクロ波放射によってコンテナ内の内容物を冷却する方法であって、
前記コンテナは、蓋部と、少なくとも１つの一体化された電気クーラーと、少なくとも１つの一体化されたマイクロ波受信レクテナと、マイクロ波が前記コンテナの内部に到達するのを防止するための少なくとも１つの一体化されたマイクロ波シールド（６０）と、を含み、
前記コンテナの前記蓋部を閉じることによってコンテナを封止するステップと、
マイクロ波オーブンを使用して前記コンテナの外表面にマイクロ波放射を供給するステップと、
を含み、
前記コンテナに入射するマイクロ波は前記レクテナによって受信されて直流電圧（ＤＣ）に変換され、前記レクテナが前記コンテナの内部とその内容物を冷却するために電気クーラーに給電する、方法。
【請求項１８】
一体化されたペルチエ冷却素子によって冷却が行われる、請求項１７に記載の方法。
【請求項１９】
前記レクテナは、少なくとも１つのマイクロ波受信アンテナと、ローパス・フィルタと、整流ダイオードと、ＤＣフィルタと、負荷抵抗とを含むように構成されているものである、請求項１７または１８のいずれかに記載の方法。
【請求項２０】
前記マイクロ波シールドは、金属板または小孔を有する金属網を含むように構成されているものである、請求項１７または１８のいずれかに記載の方法。
【請求項２１】
前記レクテナ（５０）は、ダイオード・レクテナを含むように構成されているものである、請求項１７乃至１９のいずれかに記載の方法。
【請求項２２】
前記アンテナは、ダイポール、パッチまたはループ・アンテナ、またはそのようなアンテナのアレーを含むように構成されているものである、請求項１９乃至２１のいずれかに記載の方法。
【請求項２３】
前記電気クーラー、前記レクテナおよび前記マイクロ波シールドは、前記コンテナの壁内に別々の層として一体化されるよう構成されているものである、請求項１７乃至２２のいずれかに記載の方法。
【請求項２４】
前記コンテナの底壁部分は、最も外側のマイクロ波シールド層と、レクテナ電気回路層と、最も内側の電気冷却層とを含むように構成されているものである、請求項１７乃至２３のいずれかに記載の方法。
【請求項２５】
前記コンテナの閉じた側壁部分は、最も外側のマイクロ波受信レクテナ層と、マイクロ波シールド層と、最も内側の電気冷却層とを含むように構成されているものである、請求項１７乃至２４のいずれかに記載の方法。
【請求項２６】
前記コンテナの前記蓋部は、最も外側のマイクロ波受信レクテナ層、マイクロ波シールド層および最も内側の冷却層の中の少なくとも１つを含むように配列されているものである、請求項１７乃至２５のいずれかに記載の方法。
【請求項２７】
入射マイクロ波は、前記蓋部および前記側壁部分のレクテナ・アンテナによって受信され、底壁部分に配列された前記レクテナの電気回路によって直流電圧に変換されて、前記コンテナの最も内側の底および側壁部分中の電気クーラーに給電し、最も内側の底および側壁部分の表面を通して前記コンテナの内部を冷却するものである、請求項１７乃至２６のいずれかに記載の方法。
【請求項２８】
前記コンテナは、アルミニウム、プラスチックまたはセラミック材料によって作られているものである、請求項１７乃至２７のいずれかに記載の方法。
【請求項２９】
前記コンテナは、マイクロ波吸収材料によって作られているものである、請求項１７乃至２７のいずれかに記載の方法。
【請求項３０】
前記コンテナは、丸みのある形状に構成されているものである、請求項１７乃至２９のいずれかに記載の方法。
【請求項３１】
マイクロ波の放射は、ユーザがマイクロ波オーブンを作動させることによって供給されるものである、請求項１７乃至３０のいずれかに記載の方法。
【請求項３２】
前記コンテナに一体化された温度計が、作動させるコンテナ、クーラー、および前記コンテナ内に収容された内容物のうちの少なくとも１つの測定温度を表示するものである、請求項１７乃至３１のいずれかに記載の方法。
【発明の詳細な説明】
【技術分野】
【０００１】
本発明は、マイクロ波によってコンテナ（容器）の内部を冷却するコンテナに関する。本発明は、また、マイクロ波オーブンによるマイクロ波の放射によってコンテナ内の内容物を冷却する方法に関する。
【背景技術】
【０００２】
冷蔵庫（refrigerator）および冷凍機（freezer）は、食品および飲み物を冷却し冷凍するために家庭および食品産業において使用されている。品物（物質）およびサンプルを冷却し冷凍することが一般的に実施されている他の分野に、健康管理（healthcare）、医学の研究（medical research）、および加工（処理）（processing）産業がある。今日の冷蔵庫および冷凍機では冷却／冷凍を行うためにコンプレッサが広く使用されており、これは有効であるがあまり高速ではない。また、このような冷蔵庫／冷凍機は、実際に利用する各時点で温度を所望のレベルにまで低下させるのに時間を要するので、常時付勢状態に置かれている。
【０００３】
バッテリ接続または電気幹線（electric mains、電気コンセント）を介した給電による本来の電気的冷却を用いたピクニック用バッグ、冷却ボックスおよび冷却断熱（絶縁）カップを用いて、時々温かい天候の期間中に食物および飲物を冷えた状態に維持するが、実際に達成される冷却効果は低いので用途が限られ、またしばしばその内容物の温度を一定のレベルに維持することができるに過ぎない。これらは、内容物をそのピクニック用バッグ、冷却ボックスまたは冷却断熱カップ中に収容する前の温度よりもはるかに低い温度に冷却または冷凍するのには実際には適していない。
【０００４】
食物、飲物およびその他の品物を冷却または冷凍するための上述の解決法およびその他の現在既知の解決法は、実現可能な冷却効果が制限されており、従ってこれらはすべて冷却／冷凍が比較的遅いという欠点がある。さらに、従来技術によるクーラー／冷凍機は、これらを冷却／冷凍のために常時付勢することに伴うエネルギの浪費があるので短期的に一時的に冷却しまたは冷凍するには適さず、また、従来技術によるクーラー／冷凍機を消勢状態から起動する始動期間は、冷却を必要とするときにクーラー／冷凍機を頻繁にスイッチ・オンおよびスイッチ・オフする可能なオプション（任意選択）状態にするので、長くなり過ぎる。
【０００５】
冷却される品物および／または冷却される領域が減少してでも、同時に温度を制御し視覚化（可視表示）する手段を具えたクーラーを用いて、食物、飲物およびその他の品物をより効果的に且つ迅速に冷却／冷凍することに対するニーズ（要求）がある。従って、簡単な制御ノブ、スイッチまたはボタンによってこのようなクーラーを手動で付勢し消勢するための手段を設けることが望ましい。
【発明の開示】
【０００６】
発明の概要
本発明は、マイクロ波によってコンテナの内部を冷却するコンテナ、およびマイクロ波の放射によってコンテナ内の内容物を冷却する方法に関する。
【０００７】
本発明のコンテナおよび方法は、例えば、食物、飲物、および、例えば健康管理、研究、実験および産業上の処理のために冷却によって加工され処理される例えばサンプル、試料および品物（物品）のようなその他の物を、急速に効果的にしかも制御可能に冷却するものである。
【０００８】
この目的および目標を達成するために、本発明は、マイクロ波放射を受信することによって内部を冷却するコンテナ（容器）を実現する。このコンテナは、蓋部と、少なくとも１つの一体化された電気クーラー（電気冷却機）と、少なくとも１つの一体化されたマイクロ波受信レクテナ（rectenna：マイクロ波を直流電流に変換するアンテナ）と、マイクロ波がコンテナの内部に到達するのを防止（シールド）するための少なくとも１つの一体化されたマイクロ波シールドとを含んでいる。コンテナに入射するマイクロ波はそのレクテナによって受信され、直流電圧（ＤＣ）に変換され、コンテナの内部を冷却するために電気クーラーに電力を給電する。
【０００９】
本発明によるコンテナの一実施形態は、クーラーがペルチエ冷却素子であることを含んでいる。
【００１０】
本発明によるコンテナの他の実施形態では、レクテナが、少なくとも１つのマイクロ波受信アンテナと、ローパス（低域通過）フィルタと、整流ダイオードと、ＤＣフィルタと、負荷抵抗とを含んでいる。
【００１１】
本発明によるコンテナのさらに他の実施形態では、マイクロ波シールドは金属板（シート）または小孔を有する金属網（ネット）である。
【００１２】
本発明によるコンテナの他の実施形態は、レクテナはダイオード・レクテナであることを含んでいる。
【００１３】
本発明によるコンテナのさらに他の実施形態は、アンテナが、ダイポール（dipole）、パッチ（patch）またはループ・アンテナ（loop antenna）、またはこのようなアンテナのアレーからなることを含んでいる。
【００１４】
本発明によるコンテナのさらに他の実施形態は、レクテナおよびマイクロ波シールドは、コンテナの壁の内部に別々の層として一体化されていることを含んでいる。
【００１５】
本発明によるコンテナのさらに他の実施形態では、底壁部分は、最も外側のマイクロ波シールド層と、レクテナ電気回路層と、最も内側の電気冷却層とを含んでいる。
【００１６】
本発明によるコンテナのさらに他の実施形態では、閉じた側壁部分が、最も外側のマイクロ波受信レクテナ層と、マイクロ波シールド層と、最も内側の電気冷却層とを含んでいる。
【００１７】
本発明によるコンテナのさらに他の実施形態では、蓋部が、最も外側のマイクロ波受信レクテナ層、マイクロ波シールド層、および最も内側の冷却層のうちの少なくとも１つを含んでいる。
【００１８】
本発明によるコンテナのさらに別の実施形態では、入射マイクロ波は蓋部および側壁部分のレクテナ・アンテナによって受信され、レクテナの電気回路によって直流電圧（ＤＣ）に変換され、そのレクテナの電気回路は底壁部分に一体化されており、コンテナの最も内側の底および側壁部分中の電気クーラー（電気冷却機）に給電し、最も内側の底および側壁部分の表面を通してコンテナの内部を冷却する。
【００１９】
本発明によるコンテナの他の実施形態では、コンテナが、アルミニウム、プラスチックまたはセラミック材料によって作られており、またはマイクロ波吸収材料によって作られている。
【００２０】
本発明によるコンテナのさらに他の実施形態は、コンテナは丸みのある形状を有し、マイクロ波の放射はマイクロ波オーブン（電子レンジ）によって供給されるように構成されている。
【００２１】
さらに、本発明によるコンテナの他の一実施形態では、コンテナ、クーラー、およびコンテナ（クーラー）内に収容された内容物のうちの少なくとも１つの温度を表示する温度計がコンテナに一体化されている。
【００２２】
本発明は、さらにマイクロ波の放射によってコンテナ内の内容物を冷却する方法を提示している。コンテナは、蓋部と、少なくとも１つの一体化された電気クーラーと、少なくとも１つの一体化されたマイクロ波受信レクテナと、マイクロ波がコンテナの内部に到達するのを防止（シールド）するための少なくとも１つの一体化されたマイクロ波シールドとを含んでいる。この方法は、コンテナの蓋部を閉じることによってコンテナを封止するステップと、マイクロ波オーブンを使用してコンテナの外表面にマイクロ波放射を供給するステップと、を含む。コンテナに入射するマイクロ波は、レクテナによって受信され、直流電圧（ＤＣ）に変換され、コンテナの内部とその内容物を冷却するために電気クーラーに給電する。
【００２３】
本発明による方法の一実施形態では、一体化されたペルチエ冷却素子によって冷却が行われる。
【００２４】
本発明による方法の他の実施形態では、レクテナは、少なくとも１つのマイクロ波受信アンテナと、ローパス・フィルタと、整流ダイオードと、ＤＣフィルタと、負荷抵抗とを含むように配列（構成）されている。
【００２５】
本発明による方法のさらに他の実施形態では、マイクロ波シールドは、金属板または小孔を有する金属網からなるように構成されている。
【００２６】
本発明による方法の他の実施形態では、レクテナはダイオード・レクテナを構成するように配列される。
【００２７】
本発明による方法のさらに他の実施形態は、アンテナは、ダイポール、パッチまたはループ・アンテナ、またはこのようなアンテナのアレーを構成するように配列されている。
【００２８】
本発明による方法のさらに他の実施形態では、電気クーラー、レクテナおよびマイクロ波シールドは、コンテナの壁内に別々の層として一体化されるように配列されている。
【００２９】
本発明による方法のさらに別の実施形態では、コンテナの底壁部分は、最も外側のマイクロ波シールド層と、レクテナ電気回路層と、最も内側の電気冷却層とを含むように配列されている。
【００３０】
本発明による方法のさらに別の実施形態では、コンテナの閉じた側壁部分は、最も外側のマイクロ波受信レクテナ層と、マイクロ波シールド層と、最も内側の電気冷却層とを含むように配列されている。
【００３１】
本発明による方法のさらに別の実施形態では、コンテナの蓋部は、最も外側のマイクロ波受信レクテナ層、マイクロ波シールド層、および最も内側の冷却層のうちの少なくとも１つを含むように配列されている。
【００３２】
本発明による方法の他の実施形態では、入射マイクロ波は、蓋部および側壁部分中のレクテナ・アンテナによって受信され、底壁部分に配置されたレクテナの電気回路によって直流電圧（ＤＣ）に変換され、コンテナの最も内側の底および側壁部分中の電気クーラーに給電し、最も内側の底および側壁部分の表面を通してコンテナの内部を冷却するように構成されている。
【００３３】
本発明による方法の他の実施形態では、コンテナがアルミニウム、プラスチックまたはセラミック材料によって作られ、またはコンテナがマイクロ波吸収材料で作られている。
【００３４】
本発明による方法のさらに他の実施形態では、コンテナが丸みのある形状に構成され、またマイクロ波放射はユーザがマイクロ波オーブンを作動させる（励起する）ことによって供給されるように構成されている。
【００３５】
本発明による方法のさらに他の一実施形態では、コンテナに一体化された温度計が、コンテナ、クーラー、およびコンテナ（クーラー）内に収容された内容物のうちの少なくとも１つの測定（reading）温度を表示するように構成されている。
【００３６】
以下の説明では、本発明、その実施例、実施形態をより正確に理解するために添付の図面を参照する。
【発明を実施するための最良の形態】
【００３７】
本発明は、特にマイクロ波放射（microwave radiation）を受信することによって内部を冷却するように適合化されたコンテナ（容器）、およびマイクロ波オーブン（microwave oven）で発生されるマイクロ波放射を使用することによってそのようなコンテナ内の内容物を冷却する方法を実現する。
【００３８】
食物、飲み物等の品物（物品）を有効且つ急速に冷却するためには大電力を必要とし、このことは強力な電源を必要とすることを意味する。そのような電源は比較的嵩高で且つ高価であり、また発生される電力レベルは、動作期間中人間および動物が保護されるように安全性規則上の要求を満たす。
【００３９】
マイクロ波オーブンは、品物、好ましくは食物および飲み物を温め／加熱するために使用される高出力発生器であり、現在では多くの家庭および職場で見られる。本発明による一実施形態では、冷却の目的に特に適合化されたコンテナを提供することによって品物を冷却するためにマイクロ波オーブンで発生された高電力を利用するもので、このコンテナは内部に収容された内容物を冷却するためにマイクロ波を受信し利用するものである。
【００４０】
図１には、マイクロ波放射によって内部を冷却するためのレクテナ（rectenna）層５０が設けられた本発明の一実施形態によるコンテナ１０が概略的に図示されている。マイクロ波は、このマイクロ波に曝される品物（物質）中に含まれる水分を暖め／加熱する効果を有する。従って、冷却目的のためにコンテナ１０内に配置（収容）された品物または内容物を上述の加熱線（過熱放射）から保護／遮蔽（シールド）することが重要であり、このためマイクロ波をシールド（遮蔽）する目的でコンテナの頂部にコンテナの蓋部２０が設けられている。コンテナ１０には、マイクロ波オーブンで発生されたマイクロ波を受信するために頂部（蓋部）２０、側壁３０および底壁４０の最も外側の層として一体化されたレクテナ５０が設けられている。
【００４１】
レクテナ５０は、マイクロ波を受信するためのアンテナと、受信したマイクロ波を直流に変換するための電気回路８０とを含んでいる。
【００４２】
マイクロ波シールド６０は、コンテナの内部をマイクロ波およびその加熱効果からシールド（遮蔽）するために、マイクロ波シールド６０がコンテナの壁２０、３０、４０内に別の内側層の形で一体化されている。
【００４３】
代替構成では、レクテナ・アンテナがコンテナの壁２０、３０、４０中の最も外側に一体化されている。また、レクテナ回路８０に対する加熱保護と、コンテナの内部をシールド（遮蔽）する目的で、マイクロ波シールド６０がそれらの壁の内側層に一体化され、レクテナ回路８０はそれらの壁のさらに内側の層中に一体化されている。
【００４４】
電気クーラー（冷却機）または複数のそのようなクーラー７０がコンテナの側壁３０および底壁４０の最も内側の層中に一体化されている。
【００４５】
コンテナの入射マイクロ波はレクテナ・アンテナによって受信され、レクテナの電気回路８０（図１の拡大図面と図３に示されている）によって直流電流に変換されて電気クーラー７０に給電される。従って、これらのクーラー７０は側壁３０および底壁４０の内側面を通してコンテナ１０の内部およびその中に収容された（設けられた）すべての内容物を冷却する。
【００４６】
さらに、コンテナの壁２０、３０、４０のすべての内側面を通して冷却するようにクーラーを頂部（蓋部）２０中にも一体化することもできる。
【００４７】
レクテナ（５０）は、例えばダイオード・レクテナであってもよく、またはその他のタイプのレクテナを代替的に使用することもできる。
【００４８】
本発明の一実施形態によるレクテナ・アンテナは、ダイポール、パッチまたはループ・アンテナ、またはこのようなアンテナのアレーである。
【００４９】
マイクロ波がコンテナ１０の内部に到達するのを防止するためのマイクロ波シールドは金属シートまたは小孔を有する金属ネットであるが、他の任意のマイクロ波反射性材料とすることもできる。
【００５０】
本発明の一実施形態によるクーラー７０はペルチエ冷却素子である。代替構成として、その他の任意の種類の電気的に駆動される冷却素子を用いて本発明によるコンテナの内部を冷却することができる。
【００５１】
本発明の一実施形態によるコンテナは、アルミニウム、プラスチックまたはセラミック材料によって製造される。
【００５２】
本発明の別の実施形態では、コンテナは、マイクロ波吸収材料によって製造される。
【００５３】
本発明のさらに別の実施形態では、コンテナは、マイクロ波オーブンのマイクロ波放射による電気的アークを回避するために丸みのある（rounded）形状を有している。
【００５４】
さらに別の実施形態では、冷却するためにコンテナ内に収容（配置）された内容物の温度を表示させるために温度計または温度測定手段がコンテナに一体化されている。温度計を、コンテナ１０および／またはクーラー７０の温度を表示するために設置することもできる。
【００５５】
本発明のさらに別の実施形態では、マイクロ波オーブンに設けられたタイマー手段またはサーモスタットが、温度計のような内容物の温度測定手段と共同して、コンテナ中で冷却される内容物の自動温度制御を行うこともできるであろう。例えば、血液サンプルは正確な温度にまで冷却するように予め設定（プリセット）され、次いでそのサンプルがその設定温度に到達したときにマイクロ波オーブンが自動的にターンオフするように構成することができる。
【００５６】
マイクロ波によってコンテナ１０内で急速且つ効果的に冷却する内容物は、例えばソフト・ドリンクのような飲み物または自家製アイスクリームであってもよく、または例えば水を凍らせて製氷することができる。食物を急速且つ効果的に冷却／冷凍するために、また例えば実験用サンプル等のその他の品物（物質）を冷却／冷凍するためにコンテナ１０を使用することができる。
【００５７】
本発明によるコンテナを、大部分の多くの材料（物質、品物）を大部分の目的のために急速且つ制御可能に冷却および冷凍するために使用することができる。
【００５８】
図２および図３には、本発明によるコンテナ１０で使用されるレクテナの例がブロック図の形で、および回路図の形でそれぞれ示されている。この例によるレクテナは、例えばマイクロ波オーブンで発生されたマイクロ波を受信するためのアンテナを含んでいる。受信したマイクロ波はキャパシタＣ１、Ｃ２、Ｃ３、およびインダクタＬ１、Ｌ２で構成されたローパス・フィルタで濾波されて、不所望なリップルが除去される。その後、マイクロ波は、例えば１つまたは複数のショットキー・ダイオードで構成された整流ダイオードＤ１を通過して、直流電流が発生される。このようにして発生された直流電流はＤＣ（直流）阻止フィルタ（ＤＣフィルタ）を通過して、電流を安定化させる。負荷抵抗ＲＬは、最終的に、レクテナに接続されていて、冷却のために安定化された直流が給電されるクーラーまたは冷却素子からなる。
【００５９】
代替的解決法では、マイクロ波によってコンテナ中の内容物を自動的に撹拌するためにピン、スプーンまたは同様の装置を動作させるためにコンテナ中に一体化されたモーター（電動機）に給電するために、レクテナを使用することもできるであろう。例えば、マイクロ波によって加熱されたスープを、その加熱期間中に同時に撹拌することができる。
【００６０】
別の解決法では、マイクロ波オーブン中の閉じたまたは開放された電気フライパン（electric frying pan）に給電し、それによって加熱するために、レクテナを使用することもできるであろう。次いで、食物をマイクロ波オーブン中のマイクロ波駆動パン上でフライ調理する（揚げる）ことができ、フライパンの頂部が開放されている場合は、マイクロ波によって同時に上から加熱される。
【００６１】
マイクロ波オーブンのマイクロ波は、レクテナと一緒に用いて、例えば携帯電話（セルラー・フォン：cellular phone）、ＰＤＡ（個人用携帯情報端末）、および充電可能なバッテリ・パックを具えた同様のハンドヘルド形コンピュータ化装置（handheld computerized device）に付属するバッテリを充電することもできる。
【００６２】
ここで説明した手段は、ソフトウエア手段でもよいし、ハードウエア手段でもよく、または両者の組み合わせでもよい。
【００６３】
本発明をそれに制限されるものではない（非制限）実施例、実施形態について説明した。当業者にとって可能なすべての実施形態が添付の各請求項に記載されている。
【図面の簡単な説明】
【００６４】
【図１】図１は、本発明の一実施形態による、マイクロ波放射によって内部を冷却するためのレクテナ５０を有するコンテナ１０を概略的に示している。
【図２】図２は、本発明の一実施形態による、マイクロ波放射を受信し直流に変換してコンテナ中の冷却素子に給電するレクテナを概略的に示すブロック図である。
【図３】図３は、本発明の一実施形態による、給電された冷却素子によって内部を冷却するためにコンテナ中で使用されるレクテナの概略的な回路図である。
【図１】
2006511781.tif 000003
【図２】
2006511781.tif 000004
【図３】
2006511781.tif 000005
【国際調査報告】
2006511781.tif 000006
2006511781.tif 000007